(57)【特許請求の範囲】
【請求項１】
遊技機の取付面に対して取り付けられるべきベースと、前記ベースに対し前記遊技機の取付面の反対側から取り付けられるカバーと、前記カバーの側から差し込まれ、引き抜き不可能な状態で前記ベースと係合することにより前記ベースから前記カバーが分離されることを防止する封印部材と、前記ベースの側から差し込まれ、前記封印部材に当接することにより前記封印部材の前記ベースに対する係合を強化して前記カバーの封印を補強する封印補強部材と、を備え、
前記封印部材には前記ベースに対して挿入される複数の挿入部が設けられ、前記封印補強部材には複数の前記挿入部を押し広げる突起部が設けられ、前記ベースの側から押し込まれた前記封印補強部材を所定方向に回転させることにより、前記封印補強部材は前記封印部材の複数の前記挿入部を押し広げる所定位置に位置付けられ、
前記封印補強部材には、所定の治具と係合する係合部が設けられ、前記封印補強部材は前記係合部に係合された前記治具を操作することにより前記所定方向に回転されて前記所定位置に位置付けられ、前記係合部は前記所定方向の一方向のみについて前記治具と係合可能とされ、
前記ベースおよびカバーの間に形成される空間内に基板が収納されることを特徴とする遊技機用基板ケース。
【請求項２】
前記挿入部は前記ベースと係合する係合爪を備えることを特徴とする請求項１に記載の遊技機用基板ケース。
【請求項３】
前記ベースおよび前記ケースを透明材料から構成することにより、前記ベース内部における前記封印部材の様子を観察可能としたことを特徴とする請求項１又は２に記載の遊技機用基板ケース。
【請求項４】
前記封印補強部材には、前記所定位置に位置付けられた際に前記ベースと係合する回り止め部が設けられ、前記回り止め部が前記ベースと係合することにより、前記ベースに対し前記所定方向と逆の方向への前記封印補強部材の回転が禁止されることを特徴とする請求項１〜３のいずれか１項に記載の遊技機用基板ケース。
【発明の詳細な説明】
【０００１】
【発明の属する技術分野】
本発明は、ＲＯＭ等が実装された基板を収容するとともに、パチンコやパチスロ等の遊技機に取り付けられ、より詳細には、収容される基板に対する不正なＲＯＭ交換等の不正行為を防止するための遊戯機用基板ケースに関する。
【０００２】
【従来の技術】
従来から、パチンコやパチスロ等の遊技機の基板に対し、不正ＲＯＭ交換等の不正行為が行われている。このような不正行為を防止するため、基板が収納された基板ケースは、基板ケースを開封できないようにした状態で店舗に設置された遊技機に取り付けられる。このような基板ケースは、特開平１０−２４９０２７号公報および特開平１１−１１４１８７号公報に開示されている。
【０００３】
また、基板ケース自体を遊技機の筐体から取り外しにくくしたものが、特開平１１−１６９５３６号公報に開示されている。ここでは、基板ケース取付台を筐体に設けるとともに、基板ケースを係止部材（金属の棒状体）によって基板ケース取付台に取り付けるようにしている。そして、係止部材はキーによりロックされる。
【０００４】
【発明が解決しようとする課題】
しかし、店舗に設置された遊技体に基板が取り付けられているとき、基板は基板ケースに収容されているが、流通の都合上、基板ケース単体での納品が必要となる場合があり、流通段階での不正を完全に防止することは困難であった。
【０００５】
本発明は、基板ケース単体時の不正開封、および遊技機に取り付けられた状態での基板に対する不正行為の両者を有効に防止できるよう、基板ケースの開封や取り外しの事実が容易に認識可能な遊技機用基板ケースを提供することを目的とする。
【０００６】
【課題を解決するための手段】
第１の本発明は、遊技機の取付面（９１）に対して取り付けられるべきベース（１）と、ベース（１）に対し遊技機の取付面（９１）の反対側から取り付けられるカバー（２）と、カバー（２）の側から差し込まれ、引き抜き不可能な状態でベース（１）と係合することによりベース（１）からカバー（２）が分離されることを防止する封印部材（３）と、ベース（１）の側から差し込まれ、封印部材（３）に当接することにより封印部材（３）のベース（１）に対する係合を強化してカバー（２）の封印を補強する封印補強部材（４）と、を備え、ベース（１）およびカバー（２）の間に形成される空間内に基板が収納されることを特徴とする、遊技機用基板ケースである。
【０００７】
この発明によれば、封印強化部材（４）によって封印部材（３）のベース（１）に対する係合が強化されてカバー（２）の封印が補強されるので、不正行為を効果的に防止できる。とくに基板ケース単体での流通段階における不正行為を効果的に防止できる。
【０００８】
第１の本発明において、封印部材（３）にはベース（１）に対して挿入される複数の挿入部（３１）が設けられ、封印補強部材（４）には複数の挿入部（３１）を押し広げる突起部（４２）が設けられ、封印補強部材（４）がベース（１）の側から押し込まれることにより突起部（４２）が挿入部（３１）を押し広げて封印を補強することが好ましい。
【０００９】
このようにすれば、封印強化部材（４）によって挿入部（３１）が押し広げてられて封印が補強されるので、封印部材（３）のベース（１）に対する係合が強化されてカバー（２）の封印が補強されるので、不正行為を効果的に防止できる。また、針金等により挿入部（３１）を変形させて封印部材（３）のベース（１）に対する係合を解き、ベース（１）とカバー（２）とを分解する不正行為が効果的に防止される。
【００１０】
また、封印補強部材（４）がベース（１）の側から押し込まれることにより突起部（４２）が挿入部（３１）を押し広げて封印が補強された上記第１の本発明において、挿入部（３１）はベース（１）と係合する係合爪（３１）を備えることが好ましい。
【００１１】
このようにすれば、係合爪（３１）とベース（１）に対し確実に係合させることができる。
【００１２】
また、上記第１の本発明において、ベース（１）およびケース（２）を透明材料から構成することにより、ベース（１）内部における封印部材（３）の様子を観察可能とすることが好ましい。
【００１３】
このようにすれば、ベース（１）内部における封印部材（３）の様子を基板ケースの外部から観察できるので、不正行為の有無を容易に判断することができる。
【００１４】
また、上記第１の本発明において、封印補強部材（４）を所定方向に回転させることにより、封印補強部材（４）は封印部材（３）に当接される所定位置に位置付けられ、封印補強部材（４）には、所定の治具と係合する係合部（４１ａ）が設けられ、封印補強部材（４）は係合部（４１ａ）に係合された治具を操作することにより所定方向に回転されて所定位置に位置付けられ、係合部（４１ａ）は所定方向の一方向のみについて治具と係合可能とされていることが好ましい。
【００１５】
このようにすれば、係合部（４１ａ）は所定方向の一方向のみについて治具と係合可能とされているので、封印補強部材（４）を所定方向と反対方向に回転させて取り外すことができない。したがって、封印部材（３）および封印補強部材（４）の両者を破壊しなければ封印を解くことができないので、不正行為を効果的に防止できる。
【００１６】
また、上記第１の本発明において、封印補強部材（４）には、所定位置に位置付けられた際にベース（１）と係合する回り止め部（４３ａ）が設けられ、回り止め部（４３ａ）がベース（１）と係合することにより、ベース（１）に対し所定方向と逆の方向への封印補強部材（４）の回転が禁止されることが好ましい。
【００１７】
このようにすれば、所定方向と逆の方向への封印補強部材（４）の回転が禁止されるので、封印補強部材（４）を所定方向と反対方向に回転させて取り外すことができない。したがって、封印部材（３）および封印補強部材（４）の両者を破壊しなければ封印を解くことができないので、不正行為を効果的に防止できる。
【００１８】
第２の本発明は、基板を収容して遊技機に取り付けられる遊技機用基板ケースにおいて、第１のケース部材（１）と、第１のケース部材（１）に取り付けられる第２のケース部材（２）と、取り外し不可能な状態で第１のケース部材（１）および第２のケース部材（２）と係合することにより第１のケース部材（１）と第２のケース部材（２）とが互いに分離されることを防止する封印部材（３）と、封印部材（３）に当接することにより第１のケース部材（１）および第２のケース部材（２）との係合を強化する封印補強部材（４）と、を備え、第１のケース部材（１）および第２のケース部材（２）の間に形成される空間内に基板が収納されることを特徴とする、遊技機用基板ケースである。
【００１９】
この発明によれば、封印強化部材（４）によって第１のケース部材（１）および第２のケース部材（２）との係合が強化されるので、不正行為を効果的に防止できる。とくに基板ケース単体での流通段階における不正行為を効果的に防止できる。
【００２０】
第２の本発明において、封印補強部材（４）が取り外し不可能な状態で取り付けられることが好ましい。
【００２１】
このようにすれば、封印部材（３）および封印補強部材（４）の両者を破壊しなければ封印が解けないので、不正行為を効果的に防止できる。
【００２２】
なお、本発明の理解を容易にするために添付図面の参照符号を括弧書きにて付記するが、それにより本発明が図示の形態に限定されるものではない。
【００２３】
【発明の実施の形態】
以下、図１〜図８を参照して、本発明による遊技機用基板ケースの一実施形態について説明する。本実施形態の遊技機用基板ケースは、例えば、スロットマシン等の遊技機に取り付けられる。
【００２４】
以下、図５〜図８を用いて、本発明の遊戯用基板ケースが取り付けられるスロットマシンを説明する。
【００２５】
図中、１００はスロットマシンを示し、スロットマシン１００は、スロットマシン本体１００ａと、この本体１００ａに開閉可能に取り付けられた前面扉１００ｂとを備える。
【００２６】
本体１００ａ内には、その中段に、３個のリール１０４，１０５，１０６が収容され、本体１００ａ内の上部背面には、ベース１とカバー２とから構成され基板３を収容する基板ケースが取り付けられている。基板ケースおよび基板３については後述する。また、本体１００ａ内の下部には、ホッパー１２０が収容されている。
【００２７】
前面扉１００ｂには、ストップスイッチ１０７，１０８，１０９が設けられ、ストップスイッチ１０７，１０８，１０９は、リール１０４，１０５，１０６のそれぞれに対応しており、上記ストップスイッチの操作により上記リールの回転を停止させる。さらに、前面扉１００ｂには、リール１０４，１０５，１０６の回転を開始させるスタートレバー１０２、および上記リールの絵柄（図柄）を表示するための透明なアクリル板等から形成される絵柄表示窓１１０，１１１，１１２が、それぞれ設けられる。
【００２８】
遊技者がスタートレバー１０２を操作すると、これにより３個のリール１０４，１０５，１０６の回転が開始され、回転中のリール１０４，１０５，１０６を停止させるときには、遊技者が対応するストップスイッチ１０７，１０８，１０９をそれぞれ押すことにより個々のリールが停止される。
【００２９】
遊技者は、ストップスイッチ１０７，１０８，１０９を押すタイミングをはかるなどして、特定の絵柄の組合わせパターンが、あらかじめ定められた基準線上に出現するようにリールを停止できたときに、所定数のメダルが払出口１１７から払い出される。
【００３０】
さらに、前面扉１００ｂの絵柄表示窓１１０，１１１，１１２とストップスイッチ１０７，１０８，１０９との間に、メダル数量表示部１１３，１１４，１１５が形成されている。メダル数量表示部１１３，１１４，１１５の裏側には７セグメントによる数字表示装置（不図示）がそれぞれ配設される。この数字表示装置によって、３つの数字表示窓に、それぞれクレジット枚数および払出枚数が表示される。また、前面扉１００ｂ上部には、左右対象にスピーカ１１８，１１９が設けられ、ゲームの進行に応じて効果音等が発生される。
【００３１】
図１および図２は、本実施の形態の遊技機用基板ケースの断面を示している。また、図１（ａ）〜（ｃ）は封印部材を取り付ける際の手順を示し、図２（ａ）〜（ｃ）はケースをベースから取り外す際の手順を示している。
【００３２】
図１および図２に示すように、本実施形態の遊戯用基板ケースは、遊技機内部の背面側に取り付けられた取付板９１（図８）に当接されるベース１と、ベース１に対して取り付けられるカバー２とを備え、ベース１およびカバー２の間に形成される空間内にＲＯＭが実装された基板（不図示）が収容される。具体的には、図１よりも左方において、ベース１およびカバー２の間に空間が確保されており、この空間内に基板が収容される。なお、図５および図８に示すように、カバー２は取付部２３を介してワンウェイねじ２４を用いて取付板９１に対し取り付けられ、取付部２３を破壊しない限りカバー２およびベース１を取り外しできないように構成されている。本実施形態では、ベース１とカバー２とを組み付けた後、ワンウェイねじ２４を用いてベース２を取付板９１に固定するようにしている。
【００３３】
ベース１には、図１（ａ）における下面が遊技機の取付板９１に接触ないしは対向するプレート部１Ａと、カバー２を取り付けるための取付部１１とが設けられている。取付部１１は、プレート部１Ａから図１（ａ）において上方向に断面が略「コ」の字型形状となる形状に突設され、取付部１１の上面にカバー２の内周面が当接される。
【００３４】
図１（ａ）に示すように、取付部１１の上面には丸孔１２が、カバー２には丸孔１２に対向する位置に丸穴２１が、それぞれ形成されている。また、ベース１のプレート１Ａには、丸孔１２に対向する位置に２つの切欠き部１３ａを有する比較的大径の開口１３が形成されている（図４）。さらに、取付部１１の内部空間には内向きに突出するフランジ１４が設けられている。フランジ１４には長孔１４ｂが形成されている（図４（ａ））。
【００３５】
図１に示すように、丸孔１２および丸孔２１には樹脂製の封印部材３が挿入される。封印部材３の先端側（図１（ａ）において下端側）は二股に分かれており、一対の爪３１が形成される。爪３１は封印部材３の外側方向に向けて突出する。
【００３６】
図１に示すように、爪３１を丸穴２１および丸孔１２に挿入して封印部材３を図１（ａ）において下向きに押し込むことにより、図１（ｂ）に示すように爪３１が取付部１１に係合し、封印部材３は引き抜き不可能となる。
【００３７】
一方、図１（ｂ）および図１（ｃ）に示すように、封印補強部材４は、開口１３を介してベース１に嵌め込まれる。図３に示すように、封印補強部材４は、開口１３に嵌め込まれる円板部４１と、円板部４１の中央から円板部４１の軸心方向に突設された突起部４２と、円板部４１の外周面より外側に突出する一対の突出片４３と、を備える。図３（ｄ）に示すように、突起部４２は一対の爪４２ａを有する。
【００３８】
図３（ｂ）に示すように、円板部４１には所定の治具（マイナスドライバー）と係合可能な形状に形成された係合部４１ａが設けられる。係合部４１ａに係合されたこの治具を回転させることにより、封印補強部材４を図３（ｂ）に示す回転方向に回転させることができる。しかし、係合部４１ａは図３（ｂ）に示す回転方向のみについてこの治具と係合可能とされており、この治具を用いて封印補強部材４を反対方向に回転させることはできない。なお、係合部４１ａの形状はワンウェイねじのねじ頭に形成される係合部と同様の形状とされており、他の治具によっても封印補強部材４を上記反対方向に回転させることはできない。
【００３９】
図３（ｄ）において円板部４１の上面には、円板部４１の軸心を中心として周状に係合歯４４が形成されている。図３（ｄ）に示すように、係合歯４４は円板部４１の軸心周りの回転方向に対して非対称の形状とされている。
【００４０】
図４（ａ）に示すように、図１（ａ）においてフランジ１４の下面には、係合歯４４と噛み合い可能な係合歯１４ａが形成されている。係合歯１４ａは係合歯４４に対応する形状に形成され、上記反対方向に封印補強部材４を回転させようとする場合には、係合歯１４ａと係合歯４４とが互いに噛み合い、封印補強部材４の回転が阻止される。一方、封印補強部材４を図３（ｂ）に示す回転方向に回転させる場合には、係合歯１４ａと係合歯４４とが互いに噛み合わないので、封印補強部材４の回転が許容される。
【００４１】
次に、カバー２とベース１とを互いに封印する場合の手順について説明する。
【００４２】
図１（ａ）に示すように、カバー２をベース１に取り付ける。次に、封印部材３を丸孔２１および丸穴１２に差し込み、図１（ｂ）に示すように、封印部材３を引き抜き不可能な状態とする。次に、ベース１の開口１３に封印補強部材４を嵌め込む。封印補強部材４を嵌め込む際には、開口１３の切欠き部１３ａの位置と封印補強部材４の突出片４３の位置とを合せたうえで、封印補強部材４をベース１に対し押し込む。このとき、突起部４２の爪４２ａの突出方向とフランジ１４の長孔１４ｂの長手方向とが一致するため、突起部４２の先端部は長孔１４ｂを貫通する。さらに、封印補強部材４の係合部４１ａに係合させたドライバーを用い、突出片４３がベース１に形成されたストッパー１５に当接するまで封印補強部材４を図３（ｂ）に示す回転方向に回転させる（図４）。これにより、図１（ｃ）に示すように封印補強部材４の突出片４３がプレート部１Ａとフランジ１４との間に収容される。また、封印補強部材４の突起部４２により封印部材３の爪３１が両側に押し広げられる。さらに、突起部４２の爪４２ａがフランジ１４と係合する。
【００４３】
なお、上記のように封印補強部材４を図３（ｂ）の回転方向に回転させる際には、係合歯１４ａと係合歯４４とが互いに噛み合わず、封印補強部材４の回転は許容される。
【００４４】
封印補強部材４をベース１に嵌め込むことにより、突起部４２によって封印部材３の爪３１が両側に押し広げられるため、爪３１とベース１との係合状態がより強化される。また、爪３１は突起部４２によって固定された状態となっているため、例えば、ベースに開口された放熱用の孔等を介して爪３１に向けて針金を差し込んでも、爪３１とベース１との係合を外すことができなくなる。したがって、不正行為の痕跡を残さずに封印部材３を取り外すことは極めて困難である。
【００４５】
上記のように、本実施形態では封印補強部材４の係合部４１ａを利用して封印補強部材４を上記反対方向に回転させることはできない。また、図１（ｃ）に示すように封印補強部材４をベース１に嵌め込んだとき、係合歯１４ａと係合歯４４とが互いに噛み合い、封印補強部材４を上記反対方向に回転させることはできない。さらに、通常、ベース１のプレート部１Ａの図１（ａ）において下面が遊技機の取付板９１に密着ないし対向するように取り付けられるため、基板ケースを遊技機の取付板９１から取り外すことなくプレート１Ａの図１（ａ）の下面にアクセスすることはできない。したがって、不正行為の痕跡を残すことなく封印補強部材４を取り外すことは極めて困難である。
【００４６】
次に、正規にカバー２をベース１から取り外す場合の手順について説明する。
【００４７】
図２（ａ）に示すように、最初に封印部材３の頭部３３をニッパ等により破壊し、図２（ｂ）に示すように、カバー２をベース１から取り外す。次に、例えば、ベース１の丸孔１２を介して治具を押し込むなどして、封印補強部材４を図２（ｃ）において下方に除去する。この場合、封印補強部材４の突出片４３および突起部４２の爪４２ａが破壊されることにより、封印補強部材４がベース１から除去される。
【００４８】
再度カバー２をベース１に取り付ける場合には、図１（ａ）〜図１（ｃ）に示す手順に従い、新たな封印部材３および新たな封印補強部材４を用いて基板ケースを封印する。
【００４９】
ベース１およびケース２を透明材料から構成した場合には、基板ケースの外部からベース１内部における封印部材３の様子を観察できるため、不正行為の有無を容易に判断することができる。また、本実施形態において、基板ケースを遊技機に取り付けた状態において、突起部４２の側面側から、すなわち、例えば、図１（ｃ）において右側から、あるいは手前側などから観察できるように構成した場合には、突起部４２の有無、すなわち封印補強部材４の有無やその状態、あるいは封印部材３の爪３１の状態等を目視により容易に確認することができる。
【００５０】
ベース１およびケース２を透明材料から構成する場合において、封印部材３あるいは封印補強部材４を目立つ色に着色することにより、封印部材３あるいは封印補強部材４の有無や状態を確認することがさらに容易となる。
【００５１】
【発明の効果】
請求項１に記載の発明によれば、封印強化部材によって封印部材のベースに対する係合が強化されてカバーの封印が補強されるので、不正行為を効果的に防止できる。とくに基板ケース単体での流通段階における不正行為を効果的に防止できる。
【００５２】
請求項７に記載の発明によれば、封印強化部材によって第１のケース部材および第２のケース部材との係合が強化されるので、不正行為を効果的に防止できる。とくに基板ケース単体での流通段階における不正行為を効果的に防止できる。
【図面の簡単な説明】
【図１】本発明による遊技機用基板ケースの一実施形態において、基板ケースを封印する手順を示す断面図であり、（ａ）は封印部材を取り付ける様子を示す図、（ｂ）は封印補強部材を取り付ける様子を示す図、（ｃ）は基板ケースを封印した状態を示す図。
【図２】本発明による遊技機用基板ケースの一実施形態において、基板ケースの封印を解く正規の手順を示す断面図であり、（ａ）は封印部材を取り除く作業を示す図、（ｂ）はケースを取り外す様子を示す図、（ｃ）は封印補強部材を取り除く作業を示す図。
【図３】封印補強部材を示す図であり、（ａ）は封印補強部材を示す側面図、（ｂ）は（ａ）のＢ−Ｂ線方向から見た封印補強部材を示す図、（ｃ）は（ａ）のＣ−Ｃ線方向から見た封印補強部材を示す図、（ｄ）は（ｃ）の一部拡大図。
【図４】ベースの開口部分を図１（ａ）における下方から見た図であり、（ａ）は封印補強部材がない状態を示す図、（ｂ）は封印補強部材を取り付けた状態を示す図。
【図５】スロットマシンの前面扉を開いた様子を示す正面図。
【図６】前面扉を閉じた状態のスロットマシンを示す斜視図。
【図７】前面扉を閉じた状態のスロットマシンを示す正面図。
【図８】図５のVIII−VIII線断面図。
【符号の説明】
１      ベース（第１のケース部材）
２      カバー（第２のケース部材）
３      封印部材
４      封印補強部材
３１    爪（挿入部）
４１    円板部
４１ａ  係合部
４２    突起部
４３    突出片
４４  係合歯（回り止め部）
９１    取付板（取付面）
【図１】
0003862451.tif 000002
【図２】
0003862451.tif 000003
【図３】
0003862451.tif 000004
【図４】
0003862451.tif 000005
【図５】
0003862451.tif 000006
【図６】
0003862451.tif 000007
【図７】
0003862451.tif 000008
【図８】
0003862451.tif 000009